(57)【要約】【課題】電圧情報共有の助けによりアクティブバランシングコントロールを行う方法と装置の提供。【解決手段】本発明の電圧情報共有の助けによりアクティブバランシングコントロールを行う方法は電源供給装置に応用され、該方法は、以下のステップを包含する。該電源供給装置中の相互に直列に接続された一組のバッテリーモジュール中の一つの特定バッテリーモジュールより第１電圧情報を取得し、各バッテリーモジュールは少なくとも一つのバッテリーセルを包含するものとするステップ、該組のバッテリーモジュール中の、少なくとも一つのその他のバッテリーモジュールより第２電圧情報を取得するステップ、及び、該第１電圧情報と第２電圧情報に基づき、該特定バッテリーモジュールのアクティブバランシング回路の少なくとも一部分をイネーブルするか否かを決定するステップ。本発明はまた、関係する装置を提供する。【選択図】図１
2015100215.tif 000002
【特許請求の範囲】
【請求項１】
電圧情報共有の助けによりアクティブバランシングコントロールを行う装置において、該装置は電源供給装置の少なくとも一部分を包含し、該装置は、
特定バッテリーモジュールであって、該特定バッテリーモジュールは、該電源供給装置中の相互に直列に接続された一組のバッテリーモジュール中の一つのバッテリーモジュールとされ、そのうち、各一つのバッテリーモジュールは、少なくとも一つのバッテリーセルを包含する、上記特定バッテリーモジュール、
アクティブバランシング回路であって、該特定バッテリーモジュールに接続されて、該特定バッテリーモジュールのアクティブバランシングを行う、上記アクティブバランシング回路、
電圧情報共有ポートであって、該電源供給装置の複数の電源供給モジュール中の一つの特定電源供給モジュールに設置されて、電圧情報共有を行ない、そのうち該特定バッテリーモジュールは、該特定電源供給モジュールに設置される、上記電圧情報共有ポート、
判断回路であって、該特定バッテリーモジュール、該アクティブバランシング回路、及び該電圧情報共有ポートに接続されて、該特定バッテリーモジュールより第１電圧情報を取得し、該電圧情報共有ポートを介して該組のバッテリーモジュール中の少なくとも一つのその他のバッテリーモジュールより第２電圧情報を取得し、及び該第１電圧情報と該第２電圧情報に基づき該アクティブバランシング回路の少なくとも一部分をイネーブルするか否かを決定する、上記判断回路、
以上を包含することを特徴とする、装置。
【請求項２】
請求項１記載の装置において、該複数の電源供給モジュール中の各一つの電源供給モジュールは、電圧情報共有ポートを包含し、該組のバッテリーモジュールは、それぞれ該複数の電源供給モジュールに設置され、該判断回路は、該特定バッテリーモジュールの電圧情報共有ポート及び該少なくとも一つのその他のバッテリーモジュールに対応する電圧情報共有ポートを利用して電圧情報共有を行ない、これによりアクティブバランシングコントロールを行ない、及び、該特定バッテリーモジュールに対応する電圧情報共有ポートは、該少なくとも一つのその他のバッテリーモジュールに対応する電圧情報共有ポートに接続され、該判断回路が、該少なくとも一つのその他のバッテリーモジュールより該第２電圧情報を取得するのを許容することを特徴とする、装置。
【請求項３】
請求項２記載の装置において、該特定バッテリーモジュールに対応する電圧情報共有ポートは、該少なくとも一つのその他のバッテリーモジュールに対応する電圧情報共有ポートに接続され、該特定バッテリーモジュールが該第１電圧情報を該少なくとも一つのその他のバッテリーモジュールに提供するのを許容し、これにより、該少なくとも一つのその他のバッテリーモジュールに対応する少なくとも一つのその他のアクティブ式バッテリーバランシング回路の少なくとも一部分をイネーブルするか否かを決定することを特徴とする、装置。
【請求項４】
請求項１記載の装置において、該アクティブバランシング回路は、
それぞれ一次側と二次側に対応する複数の捲線、及び、
エネルギー暫時保存ユニットであって、該二次側に対応する捲線に接続されて、エネルギーを暫時保存する、上記エネルギー暫時保存ユニット、
以上を包含し、そのうち、該第１電圧情報と該第２電圧情報に基づき、該判断回路が選択的に該アクティブバランシング回路の該少なくとも一部分をイネーブルし、これにより該特定バッテリーモジュールより該一次側と該二次側を介してエネルギーを該エネルギー暫時保存ユニットに伝送し、
該エネルギー暫時保存ユニットの二つの端子は、それぞれ該組のバッテリーモジュールの全体の二つの対外端子に接続され、該エネルギー暫時保存ユニットが、該エネルギー暫時保存ユニットに暫時保存したエネルギーを該組のバッテリーモジュールの全体に分配するのを許容することを特徴とする、装置。
【請求項５】
請求項４記載の装置において、該組のバッテリーモジュール各自のアクティブバランシング回路は、各自のエネルギー暫時保存ユニットを包含し、これらエネルギー暫時保存ユニットは相互に並列に接続され、該第１電圧情報と該第２電圧情報に基づき、該判断回路が選択的に、該アクティブバランシング回路をイネーブルし、これにより、エネルギーが、該特定バッテリーモジュールより該一次側と該二次側を介してこれらエネルギー暫時保存ユニットに伝送されるのを許容し、及び、各エネルギー暫時保存ユニットの二つの端子がそれぞれ該組のバッテリーモジュールの全体の該二つの対外端子に接続され、これらエネルギー暫時保存ユニットがこれらエネルギー暫時保存ユニットに暫時保存されたエネルギーを該組のバッテリーモジュールの全体に分配するのを許容することを特徴とする、装置。
【請求項６】
請求項４記載の装置において、該エネルギー暫時保存ユニットはコンデンサを包含し、該コンデンサの二つの端子はそれぞれ該二次側に対応する捲線の二つの端子に接続されることを特徴とする、装置。
【請求項７】
請求項１記載の装置において、該判断回路は、
複数の抵抗器であって、該電圧情報共有ポートに接続されて、該第１電圧情報と該第２電圧情報よりそれぞれ第１分圧情報と第２分圧情報を取得するのに用いられる、上記複数の抵抗器と、
少なくとも一つの比較器であって、該複数の抵抗器と該判断回路に接続されて、該第１分圧情報と該第２分圧情報に対して少なくとも一つの比較動作を行ない、それにより少なくとも一つの比較結果を発生する、少なくとも一つの比較器と、
を包含し、そのうち、該判断回路は、該少なくとも一つの比較結果を利用して該アクティブバランシング回路の該少なくとも一部分をコントロールし、それにより選択的に該アクティブバランシング回路の該少なくとも一部分をイネーブルすることを特徴とする、装置。
【請求項８】
請求項１記載の装置において、各一つのバッテリーモジュールは、相互に直列に接続された一組のバッテリーセルを包含することを特徴とする、装置。
【発明の詳細な説明】
【技術分野】
【０００１】
本発明は電源供給装置に係り、特に一種の、電圧情報共有の助けによりアクティブバランシングコントロールを行う方法と装置に関する。
【背景技術】
【０００２】
伝統的な電源供給装置たとえば予備電源供給装置中には、通常、特殊目的のコントロール回路が設けられて、それは該伝統的な電源供給装置中のバッテリーのある動作に対してコントロールするのに供される。関係技術によると、該伝統的な電源供給装置中のこのようなコントロール回路は、往々にして特別な設計が必要であるため、いくつか問題を発生した。たとえば、該伝統的な電源供給装置の出力電圧の規格を変更する必要があるとき、該コントロール回路は、それに対応して修正されなければならず、このため関係コストの増加がもたらされる。また、異なる使用者の必要に対応して該コントロール回路の設計を更新すると、該伝統的な電源供給装置中の機構素子たとえばあるケーシング部品を修正しなければならなくなり、このため関係コストが増加することになる。これにより、一種の、いかなる副作用も発生しない状況で、電源供給装置の関係制御を強化できる新規な方法が必要とされており、並びに電源供給装置の基本構造を改善することが必要とされている。
【発明の概要】
【発明が解決しようとする課題】
【０００３】
本発明の目的は、一種の、電圧情報共有の助けによりアクティブバランシングコントロールを行う方法と装置を提供し、上述の問題を解決することにある。
【０００４】
本発明のもう一つの目的は、一種の、電圧情報共有の助けによりアクティブバランシングコントロールを行う方法と装置を提供し、いかなる副作用も発生しない状況で、複数のバッテリーモジュールの間の自動化バランシングを実現することにある。
【課題を解決するための手段】
【０００５】
本発明の好適な実施例中、一種の、電圧情報共有の助けによりアクティブバランシングコントロールを行う方法が提供され、該方法は、電源供給装置に応用され、該方法は以下のステップを包含する。該電源供給装置中の相互に直列に接続された一組のバッテリーモジュール中の一つの特定バッテリーモジュールより第１電圧情報を取得し、各バッテリーモジュールは少なくとも一つのバッテリーセルを包含するものとするステップ、該組のバッテリーモジュール中の、少なくとも一つのその他のバッテリーモジュールより第２電圧情報を取得するステップ、及び、該第１電圧情報と該第２電圧情報に基づき、該特定バッテリーモジュールのアクティブバランシング回路の少なくとも一部分をイネーブルするか否かを決定するステップ。
【０００６】
本発明は上述の方法を提供すると同時に、それに対応する、電圧情報共有の助けによりアクティブバランシングコントロールを行う装置を提供する。該装置は、電源供給装置の少なくとも一部分を包含する。特に、該装置は、
該電源供給装置中の相互に直列に接続された一組のバッテリーモジュール中の一つのバッテリーモジュールとされる、特定バッテリーモジュール、
該特定バッテリーモジュールに接続される、アクティブバランシング回路、
該電源供給装置の複数の電源供給モジュール中の一つの特定電源供給モジュールに設置され、該特定バッテリーモジュールは該特定電源供給モジュールに設置される、電圧情報共有ポート、
該特定バッテリーモジュール、該アクティブバランシング回路、及び該電圧情報共有ポートに接続された、判断回路、
以上を包含する。
また、該アクティブバランシング回路は、該特定バッテリーモジュールのアクティブバランシングを行い、該電圧情報共有ポートは、電圧情報共有を行う。
このほか、該判断回路は、該特定バッテリーモジュールより第１電圧情報を取得し、該電圧情報共有ポートを介して該組のバッテリーモジュール中の少なくとも一つのその他のバッテリーモジュールより第２電圧情報を取得し、及び該第１電圧情報と該第２電圧情報に基づき該アクティブバランシング回路の少なくとも一部分をイネーブルするか否かを決定する。
【発明の効果】
【０００７】
本発明のよい所は、上述の電圧情報共有の助けによりアクティブバランシングコントロールを行う方法と装置は、いかなる副作用も発生しない状況で、複数のバッテリーモジュールの間の自動化バランシングを行えることである。このほか、本発明の方法と装置は、複数のバッテリーモジュールを具えた電源供給装置のセルフバランシングを実現でき、バッテリーモジュール数の制限を受けない。ゆえに、本発明の方法と装置により実現される電源供給装置は、極めて高い出力電圧を提供でき、比較的弱いバッテリーモジュールの寿命が急激に短縮される問題がない。これにより、本発明の方法と装置は、該電源供給装置の製造、試験、取り付け、使用、メインテナンス（たとえば、故障したバッテリーモジュールの交換）、自由度アップグレード（たとえば、少なくとも一つのバッテリーモジュールを増加或いは減少することで、出力電圧の規格を変更する）のいずれにも極めて大きなメリットがある。
【図面の簡単な説明】
【０００８】
【図１】本発明の第１実施例の電圧情報共有の助けによりアクティブバランシング（Ａｃｔｉｖｅ  Ｂａｌａｎｃｉｎｇ）コントロールを行う装置の表示図である。
【図２】本発明の実施例の電圧情報共有の助けによりアクティブバランシングコントロールを行う方法のフローチャートである。
【図３】図２に示される方法の、ある実施例の細部の表示図である。
【図４】図２に示される方法の、別の実施例の細部の表示図である。
【図５】図２に示される方法の、別の実施例の細部の表示図である。
【図６】図５に示される電源供給モジュールの表示図である。
【図７】図６に示される電源供給モジュールの複数の複製品のある実施例中の接続関係を示す図である。
【図８】本発明のある実施例の電圧情報共有の助けによりアクティブバランシングコントロールを行う装置の表示図である。
【図９】図２に示される方法の別の実施例中の細部表示図である。
【発明を実施するための形態】
【０００９】
図１は本発明の第１実施例による一種の電圧情報共有の助けによりアクティブバランシングコントロールを行う装置１００の表示図である。そのうち、装置１００は、電源供給装置の少なくとも一部分（たとえば一部分或いは全部）を包含し、該電源供給装置の例は、これに限定されるわけではないが、予備電源供給装置を包含し得る。たとえば、装置１００は、該電源供給装置中の電気システムを代表し、該電気システムは該電源供給装置の少なくとも一つのコントロール回路を包含する。また、たとえば、装置１００は、該電源供給装置の全体を代表してもよい。これは説明の目的のためにすぎず、本発明に対して制限をするものではない。本実施例のある変化例によると、装置１００は、デンキシステム中の、バッテリー以外の部分、たとえば、上述の少なくとも一つのコントロール回路を代表し得る。本発明の別の変化例によると、装置１００は該電源供給装置を包含する一つのシステムを代表し得て、該電源供給装置はこのシステムのサブシステムとされる。
【００１０】
図１に示されるように、装置１００は、相互に直列に接続された一組のバッテリーモジュール｛ＶＢＭ（１），ＶＢＭ（２），．．．，ＶＢＭ（Ｊ）｝を包含し、該組のバッテリーモジュール｛ＶＢＭ（１），ＶＢＭ（２），．．．，ＶＢＭ（Ｊ）｝の全体の対外端子ＢＳ＋とＢＳ−は、該組のバッテリーモジュール｛ＶＢＭ（１），ＶＢＭ（２），．．．，ＶＢＭ（Ｊ）｝の形成する全体のバッテリーシステムの、プラスとマイナスの端子と見なされる。そのうち、各一つのバッテリーモジュールたとえばバッテリーモジュールＶＢＭ（ｉ）は、少なくとも一つのバッテリーセル（たとえば、一つ或いは複数のバッテリーセル、図１には未表示）を包含し得て、インデックスｉは、区間［１，Ｊ］の範囲の任意の一つの正の整数とされる。このほか、装置１００は、少なくとも一つの判断回路を包含し、たとえば、該組のバッテリーモジュール｛ＶＢＭ（１），ＶＢＭ（２），．．．，ＶＢＭ（Ｊ）｝にそれぞれ対応する複数の判断回路｛１１０−１，１１０−２，．．．，１１０−Ｊ｝を包含し、且つ別に該組のバッテリーモジュール｛ＶＢＭ（１），ＶＢＭ（２），．．．，ＶＢＭ（Ｊ）｝にそれぞれ対応する複数のアクティブバランシング回路｛１２０−１，１２０−２，．．．，１２０−Ｊ｝、該組のバッテリーモジュール｛ＶＢＭ（１），ＶＢＭ（２），．．．，ＶＢＭ（Ｊ）｝にそれぞれ対応する複数の電圧情報共有ポート（その各一つは、複数の端子、たとえば、端子｛ＡＢｄ，ＢＳｃ，ＶＨｉ，ＶＨｏ，ＶＬｉ，ＶＬｏ｝を包含する、図１には未表示）、及び、並列接続されたダイオードＤｐｃと抵抗器Ｒｐｃを包含する。そのうち、これらアクティブバランシング回路｛１２０−１，１２０−２，．．．，１２０−Ｊ｝は、それぞれ該組のバッテリーモジュール｛ＶＢＭ（１），ＶＢＭ（２），．．．，ＶＢＭ（Ｊ）｝に接続され、これら電圧情報共有ポートは、それぞれ該電源供給装置の複数の電源供給モジュール｛Ｍ（１），Ｍ（２），．．．，Ｍ（Ｊ）｝（図１には表示せず）に設置され、並びにこれら判断回路｛１１０−１，１１０−２，．．．，１１０−Ｊ｝は、それぞれ該組のバッテリーモジュール｛ＶＢＭ（１），ＶＢＭ（２），．．．，ＶＢＭ（Ｊ）｝に接続され、これらアクティブバランシング回路｛１２０−１，１２０−２，．．．，１２０−Ｊ｝の各一つの判断回路たとえば、判断回路１１０−ｉは、ゲーティングロジック（Ｇａｔｉｎｇ  Ｌｏｇｉｃ）回路１１２−ｉを包含し得て、並びにこれらアクティブバランシング回路｛１２０−１，１２０−２，．．．，１２０−Ｊ｝中の各一つのアクティブバランシング回路、たとえば１２０−ｉは、それぞれ一次側と二次側に対応する複数の捲線ＬＰ（ｉ）とＬＳ（ｉ）を包含し得て、且つ別にスイッチたとえばＭＯＳＦＥＴ（ｍｅｔａｌ  ｏｘｉｄｅ  ｓｅｍｉｃｏｎｄｕｃｔｏｒ  ｆｉｅｌｄ  ｅｆｆｅｃｔ  ｔｒａｎｓｉｓｔｏｒ）  Ｑ（ｉ）、該スイッチと並列接続された一つのダイオードＤ（ｉ）、エネルギー暫時保存ユニットたとえば少なくとも一つのコンデンサＣ（ｉ）、及びもう一つのダイオードＤA（ｉ）を包含する。そのうち、該エネルギー暫時保存ユニットは該二次側に対応する捲線ＬＰ（ｉ）に接続される。インデックスｉは、区間［１，Ｊ］の範囲の任意の一つの正の整数とされる。図１に示されるように、コンデンサＣ（ｉ）の二つの端子は、それぞれ該二次側に対応する捲線ＬＳ（ｉ）の二つの端子に接続される。本実施例において、該二次側の、該一次側に対する捲線巻数比（すなわち、捲線ＬＰ（ｉ）の巻数対捲線ＬＳ（ｉ）の巻数に対する比）は、Ｎ：１に等しく、そのうち、符号「Ｎ」は一つの固定値を代表する。これは説明の目的のためにすぎず、本発明に対して制限するものではない。本実施例のある変化例によると、該捲線巻数比は変化させられ、そのうち、上述の固定値Ｎは、その他の固定値に置換可能である（それは通常、正の整数とされる）。たとえば、該捲線巻数比は、該電源供給装置のある設計目標或いは必要に応じて変更可能である。このほか、本実施例中のコンデンサＣ（ｉ）は該エネルギー暫時保存ユニットの一例として用いられている。ただしこれは説明の目的のためであって、本発明に対して制限するものではない。本実施例のある変化例によると、該エネルギー暫時保存ユニットの構造は変化させられる。たとえば、該エネルギー暫時保存ユニットは、複数のコンデンサ｛Ｃ（ｉ）｝を包含してもよい。また、たとえば、該エネルギー暫時保存ユニットは一つ或いは複数のインダクタを包含してもよい。また、たとえば、該エネルギー暫時保存ユニットは、少なくとも一つのコンデンサＣ（ｉ）及び／又は少なくとも一つのインダクタを包含してもよい。
【００１１】
実施上、上述の捲線ＬＰ（ｉ）とＬＳ（ｉ）を包含する変圧器の規格、及び、アクティブバランシング回路１２０−ｉ中のその他の素子（たとえばＭＯＳＦＥＴ  Ｑ（ｉ）、コンデンサＣ（ｉ）、及びダイオードＤ（ｉ）とダイオードＤA（ｉ）、もう一つのダイオード）の規格は、その各自が耐えられる電圧／電流に照らして決定される。同様に、上述のダイオードＤｐｃと抵抗器Ｒｐｃの規格も、その各自が耐えられる電圧／電流に照らして決定される。たとえば、ダイオードＤｐｃの規格は、「３Ａ，６００Ｖ」とすることができ、抵抗器Ｒｐｃの規格は、「２００Ｋ，２Ｗ」とすることができ、そのうち、符号「Ａ」、「Ｖ」、「Ｗ」は、それぞれ、アンペア、ボルト、ワットを代表し、符号Ｋは１０3を代表し、特に１０3Ωの抵抗値を代表する略称とされる。
【００１２】
本実施例によると、アクティブバランシング回路１２０−ｉはバッテリーモジュールＶＢＭ（ｉ）のアクティブバランシングを行うのに用いられ、バッテリーモジュールＶＢＭ（ｉ）に対応する該電圧情報共有ポートは、電圧情報共有を行う。特に、それぞれ該組のバッテリーモジュール｛ＶＢＭ（１），ＶＢＭ（２），．．．，ＶＢＭ（Ｊ）｝に対応しうるこれら電圧情報共有ポートは、それぞれ該組のバッテリーモジュール｛ＶＢＭ（１），ＶＢＭ（２），．．．，ＶＢＭ（Ｊ）｝中の異なるバッテリーモジュールの間の電圧情報共有に用いられ、図１に示されるこれら判断回路｛１１０−１，１１０−２，．．．，１１０−Ｊ｝及び図１に示されるこれらアクティブバランシング回路｛１２０−１，１２０−２，．．．，１２０−Ｊ｝の間の矢印中の少なくとも一部分の矢印で示されるとおりである。上述の少なくとも一つの判断回路たとえばこれら判断回路｛１１０−１，１１０−２，．．．，１１０−Ｊ｝は、妥当な関係コントロール、たとえばアクティブバランシングコントロールを行える。
【００１３】
実施上、上述の抵抗器Ｒｐｃは、図１に示される構造の予充電（Ｐｒｅ−ｃｈａｒｇｅ）経路を導通させるのに用いられる。たとえば、該組のバッテリーモジュール｛ＶＢＭ（１），ＶＢＭ（２），．．．，ＶＢＭ（Ｊ）｝がすでに図１に示される構造内に設置された状況下で、抵抗器Ｒｐｃが図１に示される構造中に設置されるとき、抵抗器Ｒｐｃは該組のバッテリーモジュール｛ＶＢＭ（１），ＶＢＭ（２），．．．，ＶＢＭ（Ｊ）｝の総出力電圧を利用してコンデンサ｛Ｃ（ｉ）｝に対して予充電を行ない、それにより図１に示される構造が、アクティブバランシング動作を開始した時に反応しない問題を防止することができる。このほか、アクティブバランシング動作の過程で、上述のエネルギー暫時保存ユニットたとえば上述の少なくとも一つのコンデンサＣ（ｉ）が、バッテリーモジュールＶＢＭ（ｉ）より抽出したエネルギーを暫時保存するのに用いられ得て、そのうち上述のダイオードＤｐｃは上述のエネルギー暫時保存ユニット（たとえば、上述の少なくとも一つのコンデンサＣ（ｉ））に暫時保存されたエネルギーを、該組のバッテリーモジュール｛ＶＢＭ（１），ＶＢＭ（２），．．．，ＶＢＭ（Ｊ）｝の全体に送るのに用いられる。
【００１４】
図２は本発明のある実施例の、一種の電圧情報共有の助けによりアクティブバランシングコントロールを行う方法２００のフローチャートである。該方法は、図１に示される装置１００、特に、図１に示されるこれら判断回路｛１１０−１，１１０−２，．．．，１１０−Ｊ｝に応用され得る。該方法の説明は以下のとおりである。
【００１５】
ステップ２１０において、上述の判断回路１１０−ｉは、該電源供給装置中の相互に直列に接続された該組のバッテリーモジュール｛ＶＢＭ（１），ＶＢＭ（２），．．．，ＶＢＭ（Ｊ）｝中の一つの特定バッテリーモジュール、たとえば上述のバッテリーモジュールＶＢＭ（ｉ）より、第１電圧情報を取得する。
【００１６】
ステップ２２０において、該バッテリーモジュールＶＢＭ（ｉ）に対応する該電圧情報共有ポートを介して、判断回路１１０−ｉは、該組のバッテリーモジュール｛ＶＢＭ（１），ＶＢＭ（２），．．．，ＶＢＭ（Ｊ）｝中の少なくとも一つのその他のバッテリーモジュール（特に、該組のバッテリーモジュール｛ＶＢＭ（１），ＶＢＭ（２），．．．，ＶＢＭ（Ｊ）｝中のバッテリーモジュールＶＢＭ（ｉ）以外の少なくとも一つのバッテリーモジュール）より、第２電圧情報を取得する。
【００１７】
ステップ２３０において、判断回路１１０−ｉは該第１電圧情報と該第２電圧情報に基づき、該特定バッテリーモジュールのアクティブバランシング回路の少なくとも一部分、たとえばバッテリーモジュールＶＢＭ（ｉ）に対応するアクティブバランシング回路１２０−ｉの少なくとも一部分（たとえば、一部分或いは全部）をイネーブルするか否かを判断する。
【００１８】
本実施例によると、これら電源供給モジュール｛Ｍ（１），Ｍ（２），．．．，Ｍ（Ｊ）｝中の各一つの電源供給モジュール、たとえば、電源供給モジュールＭ（ｉ）は、少なくとも一つの対応する電圧情報共有ポートを包含し得て、そのうち、該組のバッテリーモジュール｛ＶＢＭ（１），ＶＢＭ（２），．．．，ＶＢＭ（Ｊ）｝はそれぞれこれら電源供給モジュール｛Ｍ（１），Ｍ（２），．．．，Ｍ（Ｊ）｝に設置される。たとえば、電源供給モジュールＭ（ｉ）の該電圧情報共有ポートは、上述の端子｛ＡＢｄ，ＢＳｃ，ＶＨｉ，ＶＨｏ，ＶＬｉ，ＶＬｏ｝を包含し、判断回路１１０−ｉは該特定バッテリーモジュールに対応する電圧情報共有ポート（特に、電源供給モジュールＭ（ｉ）の該電圧情報共有ポート）及び該少なくとも一つのその他のバッテリーモジュールに対応する電圧情報共有ポート（特にこれらの電源供給モジュール｛Ｍ（１），Ｍ（２），．．．，Ｍ（Ｊ）｝中の、電源供給モジュールＭ（ｉ）以外の少なくとも一つの電源供給モジュールの電圧情報共有ポート）を利用し、電圧情報共有を行ない、これにより、アクティブバランシングコントロールを実行する。
【００１９】
実施上、上述の各一つの電源供給モジュールたとえば電源供給モジュールＭ（ｉ）は、一つのバッテリーパックとすることができる。こうして、使用者にとっては、該組のバッテリーモジュール｛ＶＢＭ（１），ＶＢＭ（２），．．．，ＶＢＭ（Ｊ）｝は、それぞれ独立構造を具えたモジュールと見なし得る。
【００２０】
理解を助けるため、図３を参照されたい。図３は図２に示される方法２００の、ある実施例における実施の細部を示す。たとえば、Ｊ＝２の状況で、上述のこれら電源供給モジュール｛Ｍ（１），Ｍ（２），．．．，Ｍ（Ｊ）｝は、二つの電源供給モジュール｛Ｍ（１），Ｍ（２）｝を包含する。これは説明の目的のためとされ、本発明を制限するものではない。本実施例のある変化例によると、これら電源供給モジュール｛Ｍ（１），Ｍ（２），．．．，Ｍ（Ｊ）｝の数量Ｊは変更可能である。
【００２１】
図３に示されるように、各一つのバッテリーモジュール、たとえばバッテリーモジュールＶＢＭ（ｉ）は、相互に直列に接続された一組のバッテリーセル｛ＣＢn（ｉ），ＣＢn-1（ｉ），ＣＢn-2（ｉ），．．．，ＣＢ1（ｉ）｝を包含し得る。該組のバッテリーセル｛ＣＢn（ｉ），ＣＢn-1（ｉ），ＣＢn-2（ｉ），．．．，ＣＢ1（ｉ）｝の全体の対外端子ＰＫ＋とＰＫ−は、該組のバッテリーセル｛ＣＢn（ｉ），ＣＢn-1（ｉ），ＣＢn-2（ｉ），．．．，ＣＢ1（ｉ）｝がある全体の電源供給モジュールＭ（ｉ）のプラス端子とマイナス端子と見なされ得て、並びに各一つの判断回路たとえば判断回路１１０−ｉ（特にその内のゲーティングロジック回路１１２−ｉ）は、少なくとも一つの比較器たとえば一組のオペアンプ（Ｏｐｅｒａｔｉｏｎａｌ  Ａｍｐｌｉｆｉｅｒ，ＯＰ−ＡＭＰ，或いはＯＰＡＭＰ）｛ＯＰＡ１（ｉ），ＯＰＡ２（ｉ）｝、及び複数の抵抗器｛ＲR（ｉ），Ｒ2R（ｉ），Ｒ2R+（ｉ），Ｒ'2R（ｉ），Ｒ'2R+（ｉ）｝を包含し、そのうち、これら抵抗器｛ＲR（ｉ），Ｒ2R（ｉ），Ｒ2R+（ｉ），Ｒ'2R（ｉ），Ｒ'2R+（ｉ）｝は電源供給モジュールＭ（ｉ）の該電圧情報共有ポートに接続され、上述の少なくとも一つの比較器たとえば該組のオペアンプ｛ＯＰＡ１（ｉ），ＯＰＡ２（ｉ）｝は、これら抵抗器｛ＲR（ｉ），Ｒ2R（ｉ），Ｒ2R+（ｉ），Ｒ'2R（ｉ），Ｒ'2R+（ｉ）｝と判断回路１１０−ｉに接続され、並びにインデックスｉは、区間［１，Ｊ］の範囲の任意の一つの正の整数とされる。特に、これら抵抗器｛ＲR（ｉ），Ｒ2R（ｉ），Ｒ2R+（ｉ），Ｒ'2R（ｉ），Ｒ'2R+（ｉ）｝各自の抵抗値は、それぞれ｛Ｒ，２Ｒ，２Ｒ＋，２Ｒ，２Ｒ＋｝に等しく、抵抗値２Ｒ＋は、抵抗値２Ｒよりやや大きい抵抗値である。これはただ説明のために例示されたにすぎず、本発明を制限するものではない。本実施例のある変化例によると、該組のオペアンプ｛ＯＰＡ１（ｉ），ＯＰＡ２（ｉ）｝とこれら抵抗器｛ＲR（ｉ），Ｒ2R（ｉ），Ｒ2R+（ｉ），Ｒ'2R（ｉ），Ｒ'2R+（ｉ）｝の形成する構造は、判断回路１１０−ｉの判断規則の変更により変更され得る。たとえば、該組のオペアンプ｛ＯＰＡ１（ｉ），ＯＰＡ２（ｉ）｝の数量は、変更可能である。また、たとえば、これら抵抗器｛ＲR（ｉ），Ｒ2R（ｉ），Ｒ2R+（ｉ），Ｒ'2R（ｉ），Ｒ'2R+（ｉ）｝中の少なくとも一部分の抵抗器の抵抗値は調整できる。また、たとえば、このほかの抵抗器が判断回路１１０−ｉ中に設置され得る。
【００２２】
本実施例において、これら抵抗器｛ＲR（ｉ），Ｒ2R（ｉ），Ｒ2R+（ｉ），Ｒ'2R（ｉ），Ｒ'2R+（ｉ）｝は該第１電圧情報と該第２電圧情報より、それぞれ第１分圧情報と第２分圧情報を取得するのに用いられる。上述の少なくとも一つの比較器たとえば該組のオペアンプ｛ＯＰＡ１（ｉ），ＯＰＡ２（ｉ）｝は該第１分圧情報と該第２分圧情報に対して少なくとも一つの比較動作を行って、少なくとも一つの比較結果を発生するのに用いられる。判断回路１１０−ｉは上述の少なくとも一つの比較結果を利用してアクティブバランシング回路１２０−ｉの該少なくとも一部分をコントロールして、選択的にアクティブバランシング回路１２０−ｉの該少なくとも一部分をイネーブルする。
【００２３】
このほか、これらの電源供給モジュール｛Ｍ（１），Ｍ（２），．．．，Ｍ（Ｊ）｝中の各一つの電源供給モジュールＭ（ｉ）（たとえば、電源供給モジュールＭ（１）とＭ（２）中の任意のもの）は、複数の端子を包含し得て、たとえば電源供給モジュールＭ（ｉ）の該電圧情報共有ポート中のこれらの端子｛ＡＢｄ，ＢＳｃ，ＶＨｉ，ＶＨｏ，ＶＬｉ，ＶＬｏ｝及び接続端子ＣＯＮ（ｉ）を包含し、そのうち、これら接続端子ＣＯＮ（ｉ）は該組のバッテリーセル｛ＣＢn（ｉ），ＣＢn-1（ｉ），ＣＢn-2（ｉ），．．．，ＣＢ1（ｉ）｝のこれらのコントロール回路を電気的に接続するのに用いられ得る。たとえば、これらの接続端子ＣＯＮ（ｉ）は、該組のバッテリーセル｛ＣＢn（ｉ），ＣＢn-1（ｉ），ＣＢn-2（ｉ），．．．，ＣＢ1（ｉ）｝の外接式のバッテリーセルバランシング回路を電気的に接続するのに用いられ得る。これはただ説明のために例示されたにすぎず、本発明を制限するものではない。
【００２４】
このほか、該特定バッテリーモジュールに対応する電圧情報共有ポート（たとえば、電源供給モジュールＭ（ｉ）の該電圧情報共有ポート）は、上述の少なくとも一つのその他のバッテリーモジュールに対応する電圧情報共有ポート（たとえば、電源供給モジュールＭ（２）の該電圧情報共有ポート）に接続され、判断回路１１０−ｉ（たとえば、判断回路１１０−１）が、上述の少なくとも一つのその他のバッテリーモジュール（たとえば、電源供給モジュールＭ（２））より第２電圧情報を取得するのを許容し、並びに、該特定バッテリーモジュール１１０−ｉ（たとえば、判断回路１１０−１）が該第１電圧情報を該少なくとも一つのその他のバッテリーモジュール（たとえば、電源供給モジュールＭ（２））に提供するのを許容し、これにより、該少なくとも一つのその他のバッテリーモジュールに対応する少なくとも一つのその他のアクティブバランシング回路の少なくとも一部分（たとえば、アクティブバランシング回路１２０−２の一部分或いは全部）をイネーブルするか否かの決定に供する。該方法は別に、以下を包含する。該特定バッテリーモジュールに対応する電圧情報共有ポート（たとえば、電源供給モジュールＭ（１）の該電圧情報共有ポート）を、上述の少なくとも一つのその他のバッテリーモジュールの電圧情報共有ポート（たとえば、電源供給モジュールＭ（２）の該電圧情報共有ポート）に接続し、判断回路１１０−ｉ（たとえば、判断回路１１０−１）が、上述の少なくとも一つのその他のバッテリーモジュール（たとえば、電源供給モジュールＭ（２））より第２電圧情報を取得するのを許容し、並びに特定バッテリーモジュール１１０−ｉ（たとえば、判断回路１１０−１）が、第１電圧情報を該少なくとも一つのその他のバッテリーモジュール（たとえば、電源供給モジュールＭ（２））に提供するのを許容し、これにより、該少なくとも一つのその他のバッテリーモジュールに対応する少なくとも一つのその他のアクティブバランシング回路の少なくとも一部分（たとえば、アクティブバランシング回路１２０−２の一部分或いは全部）をイネーブルするか否かを決定するのに供する。
【００２５】
注意すべきことは以下のとおりである。本発明のある実施例によると、たとえば図２に示される実施例（及びたとえば図３に示されるような変化例）では、電源供給モジュールＭ（ｉ）のこれら端子｛ＡＢｄ，ＢＳｃ，ＶＨｉ，ＶＨｏ，ＶＬｉ，ＶＬｏ｝の符号の意義は以下のように説明される。
【００２６】
ＶＨｏは、電圧情報出力端子であり、それは、電源供給モジュールＭ（ｉ）の端子ＰＫ＋の電圧情報を、次の一つの直列に接続され並びに比較的低い電圧を有する電源供給モジュールＭ（ｉ＋１）（もし存在すれば）、たとえば次の一つの比較的低い電圧を有するバッテリーパックに出力する。たとえば、電源供給モジュールＭ（１）の端子ＶＨｏは、電源供給モジュールＭ（１）の端子ＰＫ＋の電圧情報を、次の一つの、比較的低い電圧を有する電源供給モジュールＭ（２）に出力するのに用いられる。
【００２７】
ＶＬｏは、電圧情報出力端子であり、それは電源供給モジュールＭ（ｉ）の端子ＰＫ−の電圧情報を前の一つの直列に接続され並びに比較的高い電圧を有する電源供給モジュールＭ（ｉ−１）（もし存在すれば）、たとえば比較的高い電圧を有するバッテリーパックに出力するのに用いられ、たとえば、電源供給モジュールＭ（２）の端子ＶＨｏは、電源供給モジュールＭ（２）の端子ＰＫ−の電圧情報を、前の一つの、比較的高い電圧を有する電源供給モジュールＭ（１）に出力するのに用いられる。
【００２８】
ＶＨｉは、電圧情報入力端子であり、それは、前の一つの、比較的高い電圧を有する電源供給モジュールＭ（ｉ−１）（もし存在すれば）の端子ＰＫ＋の電圧情報を受け取るのに用いられ、たとえば、電源供給モジュールＭ（２）の端子ＶＨｉは、前の一つの比較的高い電圧を有する電源供給モジュールＭ（１）の端子ＰＫ＋の電圧情報を受け取るのに用いられ得る。
【００２９】
ＶＬｉは、電圧情報入力端子であり、それは、次の一つの、比較的低い電圧を有する電源供給モジュールＭ（ｉ＋１）（もし存在すれば）の端子ＰＫ−の電圧情報を受け取るのに用いられ、たとえば、電源供給モジュールＭ（１）の端子ＶＬｉは、次の一つの比較的低い電圧を有する電源供給モジュールＭ（２）の端子ＰＫ−の電圧情報を受け取るのに用いられ得る。
【００３０】
ＡＢｄは、電圧情報入力／出力端子であり、それはアクティブバランシング回路１２０−ｉ中のダイオードＤA(i)の電圧情報を、その他の電源供給モジュールと共有するのに用いられる。たとえば、電源供給モジュールＭ（１）の端子ＡＢｄは、アクティブバランシング回路１２０−１中のダイオードＤA（１）の電圧情報を、その他の電源供給モジュールたとえば電源供給モジュールＭ（２）と共有するのに用いられ得る。また、たとえば、電源供給モジュールＭ（２）の端子ＡＢｄは、アクティブバランシング回路１２０−２中のダイオードＤA（２）の電圧情報を、その他の電源供給モジュールたとえば電源供給モジュールＭ（１）と共有するのに用いられ得る。
【００３１】
ＢＳｃは、バッテリーシステムコモン（Ｂａｔｔｅｒｙ  Ｓｙｓｔｅｍ  Ｃｏｍｍｏｎ）端子であり、それは、コモン接地（Ｃｏｍｍｏｎ  Ｇｒｏｕｎｄ）に用いられ得る。
本発明のある実施例、たとえば図２に示される実施例（及びその変化実施例、たとえば図３に示される実施例）によると、判断回路１１０−ｉは、上述のエネルギー暫時保存ユニットのエネルギー暫時保存動作をコントロールできる。特に、該第１電圧情報と該第２電圧情報に基づき、判断回路１１０−ｉは、選択的にアクティブバランシング回路１２０−ｉの該少なくとも一部分をイネーブルでき、これにより、エネルギーが、該特定バッテリーモジュールたとえばバッテリーモジュールＶＢＭ（ｉ）より該一次側と該二次側を介して該エネルギー暫時保存ユニットたとえば上述の少なくとも一つのコンデンサＣ（ｉ）に伝送されるのを許容する。
【００３２】
実施上、該エネルギー暫時保存ユニット（たとえばコンデンサＣ（ｉ））の二つの端子は、それぞれ該組のバッテリーモジュール｛ＶＢＭ（１），ＶＢＭ（２），．．．，ＶＢＭ（Ｊ）｝の全体の二つの対外端子ＢＳ＋とＢＳ−に接続され、該エネルギー暫時保存ユニットが、該エネルギー暫時保存ユニットに暫時保存したエネルギーを、該組のバッテリーモジュール｛ＶＢＭ（１），ＶＢＭ（２），．．．，ＶＢＭ（Ｊ）｝のく全体に分配するのを許容する。特に、該組のバッテリーモジュール｛ＶＢＭ（１），ＶＢＭ（２），．．．，ＶＢＭ（Ｊ）｝各自のアクティブバランシング回路｛１２０−１，１２０−２，．．．，１２０−Ｊ｝はそれぞれ各自のエネルギー暫時保存ユニットたとえばコンデンサ｛Ｃ（１），Ｃ（１），．．．，Ｃ（Ｊ）｝を包含し、これらエネルギー暫時保存ユニットは相互に並列に接続されている。ゆえに、該第１電圧情報と該第２電圧情報に基づき、判断回路１１０−ｉは、選択的に、アクティブバランシング回路１２０−ｉをイネーブルし、これにより、エネルギーが、該特定バッテリーモジュールたとえばバッテリーモジュールＶＢＭ（ｉ）より、該一次側と該二次側を介してこれらエネルギー暫時保存ユニットたとえばコンデンサ｛Ｃ（１），Ｃ（１），．．．，Ｃ（Ｊ）｝に送られるのを許容する。そのうち、各一つのエネルギー暫時保存ユニットの二つの端子は、それぞれ該組のバッテリーモジュール｛ＶＢＭ（１），ＶＢＭ（２），．．．，ＶＢＭ（Ｊ）｝の全体の該二つの対外端子ＢＳ＋とＢＳ−に接続され、これらエネルギー暫時保存ユニットが、これらエネルギー暫時保存ユニットに暫時保存したエネルギーを該組のバッテリーモジュール｛ＶＢＭ（１），ＶＢＭ（２），．．．，ＶＢＭ（Ｊ）｝の全体に分配するのを許容する。こうして、該方法はまた、以下を包含する。該エネルギー暫時保存ユニット（たとえばコンデンサＣ（ｉ））の二つの端子をそれぞれ該組のバッテリーモジュール｛ＶＢＭ（１），ＶＢＭ（２），．．．，ＶＢＭ（Ｊ）｝の全体の二つの対外端子ＢＳ＋とＢＳ−に接続し、該エネルギー暫時保存ユニットが、該エネルギー暫時保存ユニットに暫時保存したエネルギーを、該組のバッテリーモジュール｛ＶＢＭ（１），ＶＢＭ（２），．．．，ＶＢＭ（Ｊ）｝の全体に分配するのを許容する。特に、該方法はまた、以下を包含する。各一つのエネルギー暫時保存ユニットの二つの端子を、それぞれ該組のバッテリーモジュール｛ＶＢＭ（１），ＶＢＭ（２），．．．，ＶＢＭ（Ｊ）｝の全体の該二つの対外端子ＢＳ＋とＢＳ−に接続し、これらエネルギー暫時保存ユニットがこれらエネルギー暫時保存ユニットに暫時保存したエネルギーを、該組のバッテリーモジュール｛ＶＢＭ（１），ＶＢＭ（２），．．．，ＶＢＭ（Ｊ）｝の全体に分配するのを許容する。
【００３３】
図３に示されるスイッチングコントロールモジュール３１０について以下に説明する。スイッチングコントロールモジュール３１０は、電源供給モジュールＭ（Ｊ）中に接地されて、あるスイッチングコントロールを行う。たとえば、Ｊ＝２の状況では、スイッチングコントロールモジュール３１０は、図３に示される電源供給モジュールＭ（２）中に設置され、そのうち、該複数の電源供給モジュール｛Ｍ（１），Ｍ（２），．．．，Ｍ（Ｊ）｝中の余剰の電源供給モジュールＭ（１）中にはスイッチングコントロールモジュール３１０を設置する必要がない。また、Ｊ＝１８の状況では、スイッチングコントロールモジュール３１０は、電源供給モジュールＭ（１８）中に設置され、その設置方式は、図３に示される電源供給モジュールＭ（２）中のスイッチングコントロールモジュール３１０の設置方式と同様であり、そのうち、該複数の電源供給モジュール｛Ｍ（１），Ｍ（２），．．．，Ｍ（Ｊ）｝中の余剰の電源供給モジュール｛Ｍ（１），Ｍ（２），．．．，Ｍ（１７）｝中の任意の一つのうちに、スイッチングコントロールモジュール３１０を設置する必要がない。これはただ説明の目的のために例示したにすぎず、本発明を制限するものではない。本発明のある実施例、たとえば図３に示される実施例の変化例によると、ただ本発明の実施に影響しなければ、スイッチングコントロールモジュール３１０の設置方式は変更が可能である。たとえば、図３に示される実施例の変化例によると、スイッチングコントロールモジュール３１０は、電源供給モジュールＭ（Ｊ）の外に設置される。また、たとえば、図３に示される実施例の別の変化例によると、スイッチングコントロールモジュール３１０は、該複数の電源供給モジュール｛Ｍ（１），Ｍ（２），．．．，Ｍ（Ｊ）｝の各一つに設置され、そのうち、電源供給モジュール｛Ｍ（１），Ｍ（２），．．．，Ｍ（Ｊ−１）｝の各一つ中のスイッチングコントロールモジュール３１０の二つの対外端子は短絡され、これにより、電源供給モジュール｛Ｍ（１），Ｍ（２），．．．，Ｍ（Ｊ−１）｝の各一つ中のスイッチングコントロールモジュール３１０はディスエーブルされる。
【００３４】
図４は図２に示される方法２００の、別の実施例中の実施細部、たとえば、電源供給モジュール４００を示す。そのうち、上述のこれら抵抗器｛ＲR（ｉ），Ｒ2R（ｉ），Ｒ2R+（ｉ），Ｒ'2R（ｉ），Ｒ'2R+（ｉ）｝は、別の一組の抵抗器｛ＲR1（ｉ），ＲR2（ｉ），ＲR3 （ｉ），ＲR4 （ｉ），ＲR5 （ｉ），Ｒ'R1（ｉ），Ｒ"R1（ｉ）｝に置換される。たとえば、 これら抵抗器｛ＲR1（ｉ），ＲR2（ｉ），ＲR3 （ｉ），ＲR4 （ｉ），ＲR5 （ｉ），Ｒ'R1（ｉ），Ｒ"R1（ｉ）｝各自の抵抗値は、それぞれ｛Ｒ１，Ｒ２，Ｒ３，Ｒ４，Ｒ５，Ｒ１，Ｒ１｝に等しい。これはただ説明の目的にすぎず、本発明を制限するものではない。本実施例のある変化例によると、該組のオペアンプ｛ＯＰＡ１（ｉ），ＯＰＡ２（ｉ）｝とこれら抵抗器｛ＲR1（ｉ），ＲR2（ｉ），ＲR3 （ｉ），ＲR4 （ｉ），ＲR5 （ｉ），Ｒ'R1（ｉ），Ｒ"R1（ｉ）｝の形成する構造は、判断回路１１０−ｉの判断規則の変更により変更される。たとえば、該組のオペアンプ｛ＯＰＡ１（ｉ），ＯＰＡ２（ｉ）｝の数量は変更可能である。また、たとえば、これら抵抗器｛ＲR1（ｉ），ＲR2（ｉ），ＲR3 （ｉ），ＲR4 （ｉ），ＲR5 （ｉ），Ｒ'R1（ｉ），Ｒ"R1（ｉ）｝の少なくとも一部分の抵抗器の抵抗値は、調整可能である。また、たとえば、余分の抵抗器が、判断回路１１０−ｉ中に設置され得る。
【００３５】
注意されたいことは以下のとおりである。図４に示されるスイッチングコントロールモジュール３１０の説明は以下のとおりである。異なる状況下で、スイッチングコントロールモジュール３１０は、選択的に、電源供給モジュール４００中に設置されて、あるスイッチングコントロールを行う。たとえば、ｉ＝Ｊの状況では、スイッチングコントロールモジュール３１０は、図４に示される電源供給モジュール４００中に設置され、そのうち、スイッチングコントロールモジュール３１０の設置方式は、図３に示される電源供給モジュールＭ（２）中のスイッチングコントロールモジュール３１０の設置方式と同様である。また、たとえば、ｉ＜Ｊの状況では、スイッチングコントロールモジュール３１０は、電源供給モジュール４００中に設置する必要がなく、そのうち、バッテリーセルＣＢ1 （ｉ）の下方端子と対外端子ＰＫ−の間の接続方式は、図３に示される電源供給モジュールＭ（１）中の、バッテリーセルＣＢ1（ｉ）の下方端子と対外端子ＰＫ−の間の接続方式と同様である。本実施例の前述の実施例又は変化例と同様のところは、重複して説明しない。
【００３６】
図５には図２に示される方法２００の、別の実施例中の実施細部、たとえば、電源供給モジュールＭ（ｉ）の実施細部について描かれている。たとえば、ｉ＜Ｊの状況では、本実施例の電源供給モジュールＭ（ｉ）中のスイッチングコントロールモジュール３１０の二つの対外端子は、スイッチ５１２を通して短絡する。ゆえに、ｉ＝Ｊの状況では、電源供給モジュールＭ（ｉ）中のスイッチングコントロールモジュール３１０は、スイッチングコントロールを行う必要がある。これにより、図３に示される電源供給モジュールＭ（２）は、図５に示される電源供給モジュールＭ（ｉ）の、ｉ＝Ｊの状況での等価回路と見なされ得る。本実施例と前述の実施例又は変化例の同様のところは重複して説明しない。
【００３７】
図５に示される実施例中、電源供給モジュールＭ（ｉ）は、スイッチ５１２を包含する。これはただ説明の目的のためにすぎず、本発明に対して制限するものではない。図５に示される実施例の変化例によると、スイッチ５１２を設置する必要はない。特に、本変化例中、選択的に、スイッチ５１２の代わりにジャンパー（図示せず）が採用されている。たとえば、ｉ＜Ｊの状況では、ジャンパーを利用して、本変化例の電源供給モジュールＭ（ｉ）中のスイッチングコントロールモジュール３１０の二つの対外端子を短絡させ、バッテリーセルＣＢ1（ｉ）の下方端子を直接対外端子ＰＫ−に接続する。ｉ＜Ｊの状況では、電源供給モジュールＭ（ｉ）中のスイッチングコントロールモジュール３１０は作用しない。また、たとえば、ｉ＝Ｊの状況では、該ジャンパーを利用して本変化例の電源供給モジュールＭ（ｉ）中のスイッチングコントロールモジュール３１０の二つの対外端子を短絡させない。ゆえに、ｉ＝Ｊの状況では、電源供給モジュールＭ（ｉ）中のスイッチングコントロールモジュール３１０は、必要によりスイッチングコントロールを行う。
【００３８】
図６は図５に示される電源供給モジュールＭ（ｉ）の表示図である。そのうち、バランシングコントロール回路６１５−ｉは、図５に示される電源供給モジュールＭ（ｉ）中の、判断回路１１０−ｉに属する各素子及びアクティブバランシング回路１２０−ｉに属する各素子を包含し得る。分かりやすいように、上述のスイッチ５１２は図６中には記載されていない。本実施例の、前述の実施例又は変化例と類似する部分については重複した説明は行わない。
【００３９】
注意すべきことは以下のとおりである。図６にはスイッチングコントロールモジュール３１０が描かれている。これは、説明の目的のためとされ、本発明に対して制限するものではない。図６に示される実施例のある変化例によると、スイッチングコントロールモジュール３１０は、選択的に図６に示される電源供給モジュールＭ（ｉ）中に設置される。たとえば、ｉ＜Ｊの状況では、これらの変化例の電源供給モジュールＭ（ｉ）中にはスイッチングコントロールモジュール３１０を設置する必要はなく、そのうちバッテリーセルＣＢ1（ｉ）の下方端子は、直接対外端子ＰＫ−に接続される。また、たとえば、ｉ＝Ｊの状況では、これらの変化例の電源供給モジュールＭ（ｉ）中にスイッチングコントロールモジュール３１０を設置してもよく、そのうち、スイッチングコントロールモジュール３１０の設置方式は、図６に示されるとおりである。
【００４０】
図７は図６に示される電源供給モジュールＭ（ｉ）の複数の複製品の、ある実施例中の接続関係を示す。そのうち、電源供給モジュールＭ（ｉ）の該複数の複製品の例は、電源供給モジュール｛Ｍ（１），Ｍ（２），Ｍ（３），Ｍ（４）｝を包含する。分かりやすくするために、上述のスイッチ５１２は図７中には表示されておらず、並びに上述のスイッチングコントロールモジュール３１０は、僅かに電源供給モジュールＭ（４）中に表示されている。本実施例の、前述の実施例又は変化例と類似するところは、重複した説明を省略する。
【００４１】
注意すべきことは以下のとおりである。図７には、スイッチングコントロールモジュール３１０が描かれている。これは、ただ説明の目的のためとされ、本発明を制限するものではない。図７に示される実施例のある変化例によると、スイッチングコントロールモジュール３１０は、選択的に、電源供給モジュールＭ（Ｊ）（たとえば、図７に示される電源供給モジュールＭ（４））中に設置される。たとえば、ｉ＜Ｊの状況では、これらの変化例の電源供給モジュールＭ（ｉ）（たとえば、図７に示される電源供給モジュール｛Ｍ（１），Ｍ（２），Ｍ（３）｝の任意の一つ）中に、スイッチングコントロールモジュール３１０を設置する必要はなく、そのうち、バッテリーセルＣＢ1（ｉ）の下方端子は、直接対外端子ＰＫ−に接続される。また、たとえば、ｉ＝Ｊの状況で、これらの変化例の電源供給モジュールＭ（Ｊ）（たとえば、図７に示される電源供給モジュールＭ（４））中にスイッチングコントロールモジュール３１０を設置してもよく、そのうち、スイッチングコントロールモジュール３１０の設置方式は、図７に示されるとおりである。
【００４２】
図８は、本発明の一つの実施例の、電圧情報共有の助けによりアクティブバランシングコントロールを行う装置８００の表示図である。図１に示される実施例と比較すると、本実施例中、これらのアクティブバランシング回路｛１２０−１，１２０−２，．．．，１２０−Ｊ｝（特に、これらのアクティブバランシング回路｛１２０−１，１２０−２，．．．，１２０−Ｊ｝各自のエネルギー暫時保存ユニットたとえばコンデンサ｛Ｃ（１），Ｃ（１），．．．，Ｃ（Ｊ）｝）に対して、それぞれ専属のダイオード｛Ｄｐｃ｝と抵抗器｛Ｒｐｃ｝が設置されている。本実施例の、前述の実施例又は変化例と類似する部分は重複して説明しない。
【００４３】
図９は、図２に示される方法２００の別の実施例中の実施細部を示す。図３に示される実施例と比較すると、本実施例中、該複数の電源供給モジュール｛Ｍ（１），Ｍ（２），．．．，Ｍ（Ｊ）｝中の各一つは、上述のスイッチングコントロールモジュール３１０を設置する必要がなく、そのうち、該複数の電源供給モジュール｛Ｍ（１），Ｍ（２），．．．，Ｍ（Ｊ）｝の任意の一つ中、バッテリーセルＣＢ1（ｉ）の下方端子と対外端子ＰＫ−の間の接続方式は、図３に示される電源供給モジュールＭ（１）中のバッテリーセルＣＢ1（ｉ）の下方端子と対外端子ＰＫ−の間の接続方式と同様である。このほか、図３に示される実施例と比較すると、本実施例中、電源供給モジュールＭ（Ｊ）（それはＪ＝２の状況では電源供給モジュールＭ（２）とされる）に対して、スイッチ９１２が設置されて、上述のスイッチングコントロールを行うのに供され、そのうち、スイッチ９１２の機能は、上述のスイッチングコントロールモジュール３１０の機能に置換され得る。本実施例の前述の実施例又は変化例と類似するところは、重複して説明しない。
【符号の説明】
【００４４】
１００、８００  電圧情報共有の助けによりアクティブバランシングコントロールを行う装置
１１０−１、１１０−２、．．．、１１０−Ｊ    判断回路
１１２−１、１１２−２、．．．、１１２−Ｊ    ゲーティングロジック回路
１２０−１、１２０−２、．．．、１２０−Ｊ    アクティブバランシング回路
２００  電圧情報共有の助けによりアクティブバランシングコントロールを行う方法
２１０、２２０、２３０  ステップ
３１０  スイッチングコントロールモジュール
４００、Ｍ（１）、Ｍ（２）、Ｍ（３）、Ｍ（４）、Ｍ（ｉ）  電源供給モジュール
５１２、９１２  スイッチ
６１５−１、６１５−２、６１５−３、６１５−４、６１５−ｉ  バランシングコントロール回路
ＡＢｄ、ＢＳｃ、ＶＨｉ、ＶＨｏ、ＶＬｉ、ＶＬｏ  電圧情報共有ポートの端子
ＢＳ＋、ＢＳ−          一組のバッテリーモジュールの全体の対外端子
Ｃ（１）、Ｃ（２）、．．．、Ｃ（Ｊ）、Ｃ（ｉ）  コンデンサ
｛ＣＢn（１），ＣＢn-1（１），ＣＢn-2（１），．．．，ＣＢ1（１）｝、
｛ＣＢn（２），ＣＢn-1（２），ＣＢn-2（２），．．．，ＣＢ1（２）｝、
｛ＣＢn（３），ＣＢn-1（３），ＣＢn-2（３），．．．，ＣＢ1（３）｝、
｛ＣＢn（４），ＣＢn-1（４），ＣＢn-2（４），．．．，ＣＢ1（４）｝、
｛ＣＢn（ｉ），ＣＢn-1（ｉ），ＣＢn-2（ｉ），．．．，ＣＢ1（ｉ）｝、
各組のバッテリーセル
ＣＯＮ（１）、ＣＯＮ（２）、ＣＯＮ（３）、ＣＯＮ（４）、ＣＯＮ（ｉ）
接続端子
Ｄ（１）、Ｄ（２）、．．．、Ｄ（Ｊ）、Ｄ（ｉ）、
ＤA（１）、ＤA（２）、．．．、ＤA（Ｊ）、ＤA（ｉ）、
Ｄｐｃ  ダイオード
ＬＰ（１）、ＬＰ（２）、．．．、ＬＰ（Ｊ）、ＬＰ（ｉ）一次側に対応する捲線
ＬＳ（１）、ＬＳ（２）、．．．、ＬＳ（Ｊ）、ＬＳ（ｉ）二次側に対応する捲線
Ｎ：１  二次側対一次側の捲線巻数比
｛ＯＰＡ１（１），ＯＰＡ２（１）｝、
｛ＯＰＡ１（２），ＯＰＡ２（２）｝、
｛ＯＰＡ１（ｉ），ＯＰＡ２（ｉ）｝  各組のオペアンプ
ＰＫ＋、ＰＫ−  一組のバッテリーセルの全体の対外端子
Ｑ（１）、Ｑ（２）、．．．、Ｑ（Ｊ）、Ｑ（ｉ）  設けられＭＯＳＦＥＴ
Ｒｐｃ、Ｒ2R
｛ＲR（１），Ｒ2R（１），Ｒ2R+（１），Ｒ'2R（１），Ｒ'2R+（１）｝、
｛ＲR（２），Ｒ2R（２），Ｒ2R+（２），Ｒ'2R（２），Ｒ'2R+（２）｝、
｛ＲR（ｉ），Ｒ2R（ｉ），Ｒ2R+（ｉ），Ｒ'2R（ｉ），Ｒ'2R+（ｉ）｝、
｛ＲR1（ｉ），ＲR2（ｉ），ＲR3 （ｉ），ＲR4 （ｉ），ＲR5 （ｉ）、
Ｒ'R1（ｉ），Ｒ"R1（ｉ）｝                             抵抗器
ＶＢＭ（１）、ＶＢＭ（２）、．．．、ＶＢＭ（Ｊ）    バッテリーモジュール
【図１】
2015100215.tif 000003
【図２】
2015100215.tif 000004
【図３】
2015100215.tif 000005
【図４】
2015100215.tif 000006
【図５】
2015100215.tif 000007
【図６】
2015100215.tif 000008
【図７】
2015100215.tif 000009
【図８】
2015100215.tif 000010
【図９】
2015100215.tif 000011
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
電圧情報共有の助けによりアクティブバランシングコントロールを行う装置において、該装置は電源供給装置の少なくとも一部分を包含し、該装置は、
特定バッテリーモジュールであって、該特定バッテリーモジュールは、該電源供給装置中の相互に直列に接続された一組のバッテリーモジュール中の一つのバッテリーモジュールとされ、そのうち、各一つのバッテリーモジュールは、少なくとも一つのバッテリーセルを包含する、上記特定バッテリーモジュール、
アクティブバランシング回路であって、該特定バッテリーモジュールに接続されて、該特定バッテリーモジュールのアクティブバランシングを行う、上記アクティブバランシング回路、
電圧情報共有ポートであって、該電源供給装置の複数の電源供給モジュール中の一つの特定電源供給モジュールに設置されて、電圧情報共有を行ない、そのうち該特定バッテリーモジュール及び該アクティブバランシング回路は、該特定電源供給モジュールに設置される、上記電圧情報共有ポート、
判断回路であって、該特定電源供給モジュールに設置されると共に、該特定バッテリーモジュール、該アクティブバランシング回路、及び該電圧情報共有ポートに接続されて、該特定バッテリーモジュールより第１電圧情報を取得し、該電圧情報共有ポートを介して該組のバッテリーモジュール中の少なくとも一つのその他のバッテリーモジュールより第２電圧情報を取得し、及び該第１電圧情報と該第２電圧情報に基づき該アクティブバランシング回路の少なくとも一部分をイネーブルするか否かを決定する、上記判断回路、
以上を包含することを特徴とする、装置。
【請求項２】
請求項１記載の装置において、該複数の電源供給モジュール中の各一つの電源供給モジュールは、電圧情報共有ポートを包含し、該組のバッテリーモジュールは、それぞれ該複数の電源供給モジュールに設置され、該判断回路は、該特定バッテリーモジュールの電圧情報共有ポート及び該少なくとも一つのその他のバッテリーモジュールに対応する電圧情報共有ポートを利用して電圧情報共有を行ない、これによりアクティブバランシングコントロールを行ない、及び、該特定バッテリーモジュールに対応する電圧情報共有ポートは、該少なくとも一つのその他のバッテリーモジュールに対応する電圧情報共有ポートに接続され、該判断回路が、該少なくとも一つのその他のバッテリーモジュールより該第２電圧情報を取得するのを許容することを特徴とする、装置。
【請求項３】
請求項２記載の装置において、該特定バッテリーモジュールに対応する電圧情報共有ポートは、該少なくとも一つのその他のバッテリーモジュールに対応する電圧情報共有ポートに接続され、該特定バッテリーモジュールが該第１電圧情報を該少なくとも一つのその他のバッテリーモジュールに提供するのを許容し、これにより、該少なくとも一つのその他のバッテリーモジュールに対応する少なくとも一つのその他のアクティブ式バッテリーバランシング回路の少なくとも一部分をイネーブルするか否かを決定することを特徴とする、装置。
【請求項４】
請求項１記載の装置において、該アクティブバランシング回路は、
それぞれ一次側と二次側に対応する複数の捲線、
エネルギー暫時保存ユニットであって、該二次側に対応する捲線に接続されて、エネルギーを暫時保存する、上記エネルギー暫時保存ユニット、及び、
ダイオード及び該ダイオードと並列する抵抗器、以上を包含し、そのうち、該第１電圧情報と該第２電圧情報に基づき、該判断回路が選択的に該アクティブバランシング回路の該少なくとも一部分をイネーブルし、これにより該特定バッテリーモジュールより該一次側と該二次側を介してエネルギーを該エネルギー暫時保存ユニットに伝送し、
該エネルギー暫時保存ユニットの端子は、該ダイオード及び該抵抗器を介して該組のバッテリーモジュールの全体の対外端子に接続され、該エネルギー暫時保存ユニットのもう一つの端子が該組のバッテリーモジュールの全体のもう一つの対外端子に接続し、該エネルギー暫時保存ユニットに暫時保存したエネルギーを該組のバッテリーモジュールの全体に分配するのを許容することを特徴とする、装置。
【請求項５】
請求項４記載の装置において、該組のバッテリーモジュール各自のアクティブバランシング回路は、各自のエネルギー暫時保存ユニットを包含し、これらエネルギー暫時保存ユニットは相互に並列に接続され、該第１電圧情報と該第２電圧情報に基づき、該判断回路が選択的に、該アクティブバランシング回路をイネーブルし、これにより、エネルギーが、該特定バッテリーモジュールより該一次側と該二次側を介してこれらエネルギー暫時保存ユニットに伝送されるのを許容し、及び、各エネルギー暫時保存ユニットの二つの端子がそれぞれ該組のバッテリーモジュールの全体の該二つの対外端子に接続され、これらエネルギー暫時保存ユニットがこれらエネルギー暫時保存ユニットに暫時保存されたエネルギーを該組のバッテリーモジュールの全体に分配するのを許容することを特徴とする、装置。
【請求項６】
請求項４記載の装置において、該エネルギー暫時保存ユニットはコンデンサを包含し、該コンデンサの二つの端子はそれぞれ該二次側に対応する捲線の二つの端子に接続されることを特徴とする、装置。
【請求項７】
請求項１記載の装置において、該判断回路は、
複数の抵抗器であって、該電圧情報共有ポートに接続されて、該第１電圧情報と該第２電圧情報よりそれぞれ第１分圧情報と第２分圧情報を取得するのに用いられる、上記複数の抵抗器と、
少なくとも一つの比較器であって、該複数の抵抗器と該判断回路に接続されて、該第１分圧情報と該第２分圧情報に対して少なくとも一つの比較動作を行ない、それにより少なくとも一つの比較結果を発生する、少なくとも一つの比較器と、
を包含し、そのうち、該判断回路は、該少なくとも一つの比較結果を利用して該アクティブバランシング回路の該少なくとも一部分をコントロールし、それにより選択的に該アクティブバランシング回路の該少なくとも一部分をイネーブルすることを特徴とする、装置。
【請求項８】
請求項１記載の装置において、各一つのバッテリーモジュールは、相互に直列に接続された一組のバッテリーセルを包含することを特徴とする、装置。